(57)【要約】【課題】水等の液状汚れとゴミ等の固形状汚れの両方を好適に取り去ることができる清掃用シートを提供する。【解決手段】掃除具の下面を覆い、当該掃除具に装着される清掃用シート１において、基材シート１０と、基材シート１０の少なくとも一方の面に接合され、繊維２１，…が一方向に配向して集合してなる繊維集合体２０と、を備え、当該清掃用シート１は、基材シート１０の短手方向中央部が露出したシート領域Ｒ１と、シート領域Ｒ１の短手方向両側に、繊維集合体２０が配置された集合体領域Ｒ２と、を有し、基材シート１０及び繊維集合体２０の何れか一方は親水性繊維で形成され、何れか他方は疎水性繊維で形成されていることを特徴とする。【選択図】図２
2010220936.tif 000002
【特許請求の範囲】
【請求項１】
掃除具の下面を覆い、当該掃除具に装着される清掃用シートにおいて、
基材シートと、
前記基材シートの少なくとも一方の面に接合され、繊維が一方向に配向して集合してなる繊維集合体と、
を備え、
当該清掃用シートは、前記基材シートの短手方向中央部が露出したシート領域と、当該シート領域の短手方向両側に、前記繊維集合体が配置された集合体領域と、を有し、
前記基材シート及び前記繊維集合体の何れか一方は親水性繊維で形成され、何れか他方は疎水性繊維で形成されていることを特徴とする清掃用シート。
【請求項２】
請求項１に記載の清掃用シートにおいて、
前記基材シートは、親水性繊維で形成されており、
前記繊維集合体は、疎水性繊維で形成されていることを特徴とする清掃用シート。
【請求項３】
請求項２に記載の清掃用シートにおいて、
前記繊維集合体の繊維密度は、前記基材シートの繊維密度よりも低いことを特徴とする清掃用シート。
【請求項４】
請求項２又は３に記載の清掃用シートにおいて、
前記基材シートには、所定の薬液が含浸されていることを特徴とする清掃用シート。
【請求項５】
請求項１〜４の何れか一項に記載の清掃用シートにおいて、
前記繊維集合体が前記基材シートに接合される接合部は、前記繊維の配向方向と直交する方向に延びる複数本の接合線に沿って、破線状に断続的に配列されており、
一の前記接合線に沿って配列された前記接合部と当該配列方向に隣り合う非接合部は、他の前記接合線に沿って配列された前記接合部と、前記繊維の配向方向に重なることを特徴とする清掃用シート。
【請求項６】
請求項５に記載の清掃用シートにおいて、
前記接合部は、前記繊維集合体における前記繊維の配向方向両端部のうちの、前記基材シートの短手方向中央側に位置する端部に配置されていることを特徴とする清掃用シート。
【請求項７】
請求項１〜６の何れか一項に記載の清掃用シートにおいて、
前記繊維集合体は、前記清掃用シートが前記掃除具に装着された際に当該掃除具の端部からはみ出していることを特徴とする清掃用シート。
【発明の詳細な説明】
【技術分野】
【０００１】
本発明は、清掃用シートに関する。
【背景技術】
【０００２】
従来、把持棒が連結された掃除具に装着されて使用される清掃用シートとして、基材シートに、繊維集合体が接合されてなるものが知られている。
【０００３】
具体的には、例えば、凹凸箇所に対して繊維の追従性が高く、捕集性能に優れた清掃用シートとして、基材シートと、当該基材シートに接合された複数個の繊維集合体と、を備え、最外方に位置する繊維集合体は、中央に位置する繊維集合体よりも低い捲縮高さで捲縮している繊維が集合してなる清掃用シートが知られている（例えば、特許文献１参照）。
ここで、特許文献１記載の清掃用シートにおいて、繊維集合体を形成する繊維には、清掃用シートに付加的な機能を付与し得る薬剤が塗工されている場合がある。具体的には、例えば、清掃用シートをドライな乾式清掃の目的に用いる場合、ゴミの吸着を利用した捕集性を高め得る薬剤が塗工されている。また、例えば、清掃用シートをウェットな湿式清掃の目的に用いる場合、シミ汚れや固形物のこびりつき汚れを溶解させて洗浄性を高め得る薬剤を含む洗浄剤が塗工されている。
【０００４】
また、例えば、髪の毛や綿埃などの絡みやすいゴミ及びパン屑やゴマなどの絡みにくい粒状ゴミの何れに対しても効率的に捕集できる清掃用シートとして、基材シートと、当該基材シートに互いに離間して接合された複数個の繊維集合体と、当該基材シートにおける当該離間した繊維集合体の間に設けられたゴミ粘着部と、を備える清掃用シートが知られている（例えば、特許文献２参照）。
【先行技術文献】
【特許文献】
【０００５】
【特許文献１】特開２００９−６１３４号公報
【特許文献２】特開２００８−２７２１４７号公報
【発明の概要】
【発明が解決しようとする課題】
【０００６】
しかしながら、特許文献１及び２記載の清掃用シートは、ゴミ等の固形状汚れを取り去るための清掃用シートであるため、水等の液状汚れを十分に取り去ることができない。また、繊維集合体が液状汚れで濡れてしまうと、繊維集合体で固形状汚れを絡め取り難くなってしまう。したがって、被清掃面が固形状汚れと液状汚れとの両方で汚れている場合には、例えば、別の清掃用品（雑巾や液状汚れに適した清掃用シートなど）で液状汚れを取り去った後に、当該清掃用シートで固形状汚れを取り去る必要がある。すなわち、当該清掃用シートでは、固形状汚れと液状汚れとの両方を効率的に取り去ることはできない。
【０００７】
本発明の課題は、水等の液状汚れとゴミ等の固形状汚れの両方を好適に取り去ることができる清掃用シートを提供することにある。
【課題を解決するための手段】
【０００８】
上記課題を解決するために、請求項１に記載の発明は、
掃除具の下面を覆い、当該掃除具に装着される清掃用シートにおいて、
基材シートと、
前記基材シートの少なくとも一方の面に接合され、繊維が一方向に配向して集合してなる繊維集合体と、
を備え、
当該清掃用シートは、前記基材シートの短手方向中央部が露出したシート領域と、当該シート領域の短手方向両側に、前記繊維集合体が配置された集合体領域と、を有し、
前記基材シート及び前記繊維集合体の何れか一方は親水性繊維で形成され、何れか他方は疎水性繊維で形成されていることを特徴とする。
【０００９】
請求項２に記載の発明は、
請求項１に記載の清掃用シートにおいて、
前記基材シートは、親水性繊維で形成されており、
前記繊維集合体は、疎水性繊維で形成されていることを特徴とする。
【００１０】
請求項３に記載の発明は、
請求項２に記載の清掃用シートにおいて、
前記繊維集合体の繊維密度は、前記基材シートの繊維密度よりも低いことを特徴とする。
【００１１】
請求項４に記載の発明は、
請求項２又は３に記載の清掃用シートにおいて、
前記基材シートには、所定の薬液が含浸されていることを特徴とする。
【００１２】
請求項５に記載の発明は、
請求項１〜４の何れか一項に記載の清掃用シートにおいて、
前記繊維集合体が前記基材シートに接合される接合部は、前記繊維の配向方向と直交する方向に延びる複数本の接合線に沿って、破線状に断続的に配列されており、
一の前記接合線に沿って配列された前記接合部と当該配列方向に隣り合う非接合部は、他の前記接合線に沿って配列された前記接合部と、前記繊維の配向方向に重なることを特徴とする。
【００１３】
請求項６に記載の発明は、
請求項５に記載の清掃用シートにおいて、
前記接合部は、前記繊維集合体における前記繊維の配向方向両端部のうちの、前記基材シートの短手方向中央側に位置する端部に配置されていることを特徴とする。
【００１４】
請求項７に記載の発明は、
請求項１〜６の何れか一項に記載の清掃用シートにおいて、
前記繊維集合体は、前記清掃用シートが前記掃除具に装着された際に当該掃除具の端部からはみ出していることを特徴とする。
【発明の効果】
【００１５】
本発明によれば、掃除具の下面を覆い、当該掃除具に装着される清掃用シートにおいて、基材シートと、基材シートの少なくとも一方の面に接合され、繊維が一方向に配向して集合してなる繊維集合体と、を備え、当該清掃用シートは、基材シートの短手方向中央部が露出したシート領域と、当該シート領域の短手方向両側に、繊維集合体が配置された集合体領域と、を有し、基材シート及び繊維集合体の何れか一方は親水性繊維で形成され、何れか他方は疎水性繊維で形成されている。
すなわち、基材シートが親水性繊維で形成され、繊維集合体が疎水性繊維で形成されている場合には、シート領域で液状汚れを取り去ることができるとともに、集合体領域で固形状汚れを取り去ることができる。また、基材シートが疎水性繊維で形成され、繊維集合体が親水性繊維で形成されている場合には、シート領域で固形状汚れを取り去ることができるとともに、集合体領域で液状汚れを取り去ることができる。したがって、水等の液状汚れとゴミ等の固形状汚れの両方を好適に取り去ることができる。
【図面の簡単な説明】
【００１６】
【図１】本発明の清掃用シートの一例を示す下面側斜視図である。
【図２】図１に示す清掃用シートの下面図である。
【図３】図１に示す清掃用シートを掃除具に装着した状態の一例を示す側面図である。
【発明を実施するための形態】
【００１７】
以下に、図を参照して、本発明の実施の形態を詳細に説明する。ただし、発明の範囲は、図示例に限定されない。
本発明に係る清掃用シートは、掃除具に装着して用いる取り替え式の清掃用シートである。
なお、以下の説明では、清掃用シート１において、長手方向一端側を左側、他端側を右側とし、短手方向一端側を前側、他端側を後側とし、掃除具１００に装着された際に掃除具１００と接する側を上側、掃除具１００と接する側の反対側を下側とする。
【００１８】
清掃用シート１は、例えば、図１及び図２に示すように、長方形状の基材シート１０と、基材シート１０の一方の面（下面）に接合され、繊維２１，…が一方向（前後方向）に配向して集合してなる２個の繊維集合体２０，２０と、を備えて構成される。
そして、清掃用シート１は、例えば、図３に示すように、略板状の掃除具１００の下面を覆うように装着されて使用される。
【００１９】
具体的には、清掃用シート１は、基材シート１０の短手方向（前後方向）中央部が露出したシート領域Ｒ１と、シート領域Ｒ１の短手方向（前後方向）両側に、繊維集合体２０，２０が配置された集合体領域Ｒ２，Ｒ２と、を有し、シート領域Ｒ１と、集合体領域Ｒ２，Ｒ２と、によって床面等の被清掃面Ｆを清掃する。
この際、清掃用シート１は、例えば、被清掃面Ｆにゴミ等の固形状汚れがある場合、集合体領域Ｒ２，Ｒ２で当該固形状汚れを絡め取ることによって、当該固形状汚れを取り去る。また、例えば、被清掃面Ｆに水等の液状汚れがある場合、シート領域Ｒ１で当該液状汚れを吸い取ることによって、当該液状汚れを取り去るとともに、集合体領域Ｒ２，Ｒ２で当該液状汚れを基材シート１０へと吸い上げることによって、当該液状汚れを取り去る。
ここで、集合体領域Ｒ２（繊維集合体２０）は、清掃用シート１が掃除具１００に装着された際に掃除具１００の端部（主に短手方向両端部）からはみ出すように配置されている。これにより、掃除具１００が入り込めない隙間や部屋の隅、段差の側面などに繊維集合体２０がフィットして効率よく清掃できるようになっている。
【００２０】
掃除具１００には、当該掃除具１００を操作するためにユーザが握る把持棒１１０が連結されており、掃除具１００の上面には、清掃用シート１を装着するための係止部（図示省略）が設けられている。
掃除具１００の下面は、その形状が長辺及び短辺を有する矩形状となっている。
【００２１】
基材シート１０は、例えば、図１〜図３に示すように、清掃用シート１が掃除具１００に装着された際に掃除具１００の下面側に配置される清掃部１１と、清掃部１１の短手方向（前後方向）両側に延在し、清掃用シート１が掃除具１００に装着される際に上側に折り返されて自由端部が掃除具１００の係止部に係止される被係止部１２，１２と、清掃部１１と被係止部１２，１２との境界に、被係止部１２，１２を上側に折り返す際の目印となる折り目（図示省略）と、を備えている。
【００２２】
繊維集合体２０は、繊維集合体２０の接合部２２が所定の接合手段により清掃部１１に接合されることによって、繊維２１，…が基材シート１０の短手方向に配向して集合してなる状態を維持したまま、基材シート１０に固定されている。
所定の接合手段としては、例えば、ホットメルト、ヒートシール、超音波シールが挙げられる。これらは単独で、或いは２種以上を組み合わせて用いることができる。
ここで、繊維２１は、複数の繊維が集合してなる繊維束（トウ）をなしていることとする。
【００２３】
具体的には、繊維集合体２０は、例えば、図１及び図２に示すように、清掃用シート１を展開した状態において、基材シート１０の長手方向（左右方向）全域に、繊維２１，…が基材シート１０の短手方向に配向するように、基材シート１０の清掃部１１から被係止部１２に亘って配置されている。そして、繊維集合体２０における清掃部１１に配置された側の端部が、基材シート１０に接合されて、繊維集合体２０における被係止部１２に配置された側の端部が、自由端部になっている。
すなわち、繊維集合体２０，２０が基材シート１０に接合される接合部２２、…は、繊維集合体２０における繊維２１，…の配向方向（前後方向）両端部のうちの、基材シート１０の短手方向中央側に位置する端部に配置されている。
【００２４】
ここで、一方の繊維集合体２０の前後方向内側端部と、他方の繊維集合体２０の前後方向内側端部と、の間が、繊維集合体２０が配置されていないシート領域Ｒ１となる。したがって、繊維集合体２０の前後方向内側端部の位置によって、シート領域Ｒ１の面積が決まるため、シート領域Ｒ１の面積確保等の観点から、当該端部はより外側（前後方向外側）に配置されるのが好ましい。
【００２５】
各繊維集合体２０それぞれにおいて、接合部２２は、例えば、図２に示すように、繊維２１，…の配向方向と直交する方向（左右方向）に延びる直線状の２本の接合線Ｌ，Ｌに沿って、破線状に断続的に配列されている。すなわち、接合線Ｌに沿って、接合部２２と、非接合部２３と、が交互に配列されている。
また、各繊維集合体２０それぞれにおいて、一の接合線Ｌ上の非接合部２３（一の接合線Ｌに沿って配列された接合部２２と当該配列方向（左右方向）に隣り合う非接合部２３）は、他の接合線Ｌに沿って配列された接合部２２と、繊維２１，…の配向方向に重なっている。すなわち、繊維集合体２０を構成する繊維２１，…はそれぞれ、少なくとも１つの接合部２２において基材シート１０に接合されている。
【００２６】
ここで、ホットメルトやヒートシール、超音波シールなどによって接合部２２を基材シート１０に接合した場合、例えば、接合部２２を繊維集合体２０の長手方向一端から他端に亘って連続的に配置すると、接合部２２で、繊維集合体２０から基材シート１０への液状汚れの吸い上げが遮断されてしまう。これに対し、本実施形態の清掃用シート１では、接合部２２を繊維集合体２０の長手方向一端から他端に亘って断続的に配置して、非接合部２２を経由することにより繊維集合体２０から基材シート１０へと液状汚れが移行できるよう構成しているため、接合部２２を連続的に配置した場合と比較して、液状汚れの吸い上げ効率の低下を抑えることができる。
【００２７】
各繊維集合体２０それぞれにおいて、接合線Ｌ，Ｌの間隔は任意であるが、繊維集合体２０の基材シート１０への接合性、シート領域Ｒ１の面積確保等の観点から、１．０ｍｍ〜４０．０ｍｍが好ましく、５．０ｍｍ〜１５．０ｍｍがより好ましい。
また、一の接合線Ｌに沿って配列された接合部２２，２２の間隔は任意であるが、繊維集合体２０の基材シート１０への接合性、シート領域Ｒ１の面積確保等の観点から、４０．０ｍｍ〜１００．０ｍｍが好ましく、７０．０ｍｍ〜１００．０ｍｍがより好ましい。
なお、一方の接合線Ｌに沿って配列された接合部２２，２２の間隔や当該接合部２２のサイズは、他方の接合線Ｌに沿って配列された接合部２２，２２の間隔や当該接合部２２のサイズと同一であっても良いし、異なっても良い。
【００２８】
基材シート１０は、親水性繊維で形成されたシートである。
具体的には、基材シート１０は、親水性繊維を繊維素材として、例えば、スパンレース、エアスルー、エアレイド、ポイントボンド、スパンボンド、ニードルパンチ等の周知の技術により製造される不織布である。
親水性繊維としては、例えば、レーヨン、リヨセル、テンセル、コットン等のセルロース系繊維が挙げられる。これらは単独で、或いは２種以上を組み合わせて用いることができる。
なお、基材シート１０は、親水性繊維で形成された不織布に限ることはなく、親水性繊維で形成されたシートであれば任意であり、例えば、親水性繊維で形成された織布であっても良い。
【００２９】
ここで、清掃用シート１において、基材シート１０には、所定の薬液が含浸されていても良い。
所定の薬液は、例えば、水（精製水）に所定の薬剤を添加したものであり、所定の薬剤としては、例えば、洗剤、除菌剤、防虫剤、防腐剤、芳香剤、消臭剤、香料が挙げられる。これらは単独で、或いは２種以上を組み合わせて用いることができる。
【００３０】
繊維集合体２０は、疎水性繊維で形成された繊維束状の繊維２１が集合してなるものである。
疎水性繊維としては、例えば、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維が挙げられる。これらは単独で、或いは２種以上を組み合わせて用いることができる。
【００３１】
繊維集合体２０は、基材シート１０よりも繊維密度（単位体積あたりの繊維の量）が低くなるよう設定されている。これにより、毛細管現象が作用して、繊維集合体２０から基材シート１０への液状汚れの吸い上げ効率が向上する。したがって、繊維集合体が濡れていると、繊維集合体で固形状汚れを絡め取り難いが、本実施形態の清掃用シート１が備える繊維集合体２０によれば、液状汚れが付着しても液状汚れが残り難いため、固形状汚れの絡め取り効率が低下し難い。
【００３２】
次に、清掃用シート１の使用方法について説明する。
【００３３】
まず、清掃用シート１を掃除具１００に装着する。
清掃部１１と被係止部１２，１２との境界に設けられた折り目を目印として、掃除具１００の下面に清掃用シート１の清掃部１１上面をあてがって、掃除具１００の側面（短手方向両側面）に沿って被係止部１２，１２を上側に折り返す。そして、被係止部１２，１２の自由端部を掃除具１００の上面に設けられている係止部に挟み込む等して係止させることにより、例えば、図３に示すように、清掃用シート１を掃除具１００に装着する。
そして、ユーザは、清掃用シート１が装着された掃除具１００の把持棒１１０を握り、清掃用シート１で被清掃面Ｆを拭き掃除する。
【００３４】
この際、基材シート１０に薬液が含浸されていない場合には、清掃用シート１で乾拭きを行うことができる。
具体的には、例えば、ゴミ（髪の毛や綿埃など）等の固形状汚れを、集合体領域Ｒ２（繊維集合体２０，２０）で絡め取ることができる。
また、例えば、水等の液状汚れを、シート領域Ｒ１（基材シート１０）や集合体領域Ｒ２で吸い取ることができる。なお、集合体領域Ｒ２に吸い取られて付着した液状汚れは、集合体領域Ｒ２から基材シート１０へと吸い上げられて、基材シート１０に移行するため、集合体領域Ｒ２に残り難い。したがって、固形状汚れと液状汚れとの両方が被清掃面Ｆにあって、集合体領域Ｒ２に液状汚れが付着したとしても、繊維集合体２０による固形状汚れの絡め取り効率が低下し難く、液状汚れと固形状汚れの両方を好適に取り去ることができる。
【００３５】
一方、基材シート１０に薬液が含浸されている場合には、清掃用シート１で濡拭きを行うことができる。
具体的には、例えば、シミ汚れやこびりつき汚れ（油汚れ等）にシート領域Ｒ１を擦り付けて、薬液で当該汚れを溶解しながら、当該汚れをシート領域Ｒ１や集合体領域Ｒ２で擦り落とすことができる。
また、例えば、集合体領域Ｒ２では絡め取りきれない細かい固形状汚れ（砂埃や花粉など）を、薬液で濡れたシート領域Ｒ１に付着させて拭き去ることができる。
なお、基材シート１０に薬液が含浸されている場合、清掃用シート１を使用することで、被清掃面Ｆに薬液が付いてしまう場合があるが、被清掃面Ｆに付いた薬液は、集合体領域Ｒ２に付着し、集合体領域Ｒ２から基材シート１０へと吸い上げられて、再び基材シート１０に保持されるため、薬液が被清掃面Ｆに残らない。すなわち、基材シート１０に薬液が含浸されている場合には、清掃用シート１で濡拭きと乾拭きとを同時に行うことができる。
【００３６】
ここで、清掃用シート１においては、繊維集合体２０の厚みによって、集合体領域Ｒ２とシート領域Ｒ１とに段差が生じている。
したがって、基材シート１０に薬液が含浸されている場合、ユーザによる把持棒１１０の操作等によって、清掃用シート１が被清掃面Ｆに軽く押し付けられると、集合体領域Ｒ２のみが被清掃面Ｆに接触して、シート領域Ｒ１は被清掃面Ｆに接触しないため、当該清掃用シート１で乾拭きを行うことができる。一方、ユーザによる把持棒１１０の操作等によって、清掃用シート１が被清掃面Ｆに強く押し付けられると、シート領域Ｒ１と集合体領域Ｒ２との両方が被清掃面Ｆに接触するため、当該清掃用シート１で濡拭き（当該濡拭きと同時に乾拭きも）を行うことができる。
すなわち、基材シート１０に薬液が含浸されている場合、清掃用シート１は、把持棒１１０の操作の仕方等によって、清掃中に乾拭き用の清掃用シートと濡拭き用の清掃用シートとに切り替わるため、多様な清掃を行うことができ、好適である。
【００３７】
以上説明した本発明の清掃用シート１によれば、基材シート１０と、基材シート１０の一方の面に接合され、繊維２１，…が一方向に配向して集合してなる繊維集合体２０と、を備え、清掃用シート１は、基材シート１０の短手方向中央部が露出したシート領域Ｒ１と、シート領域Ｒ１の短手方向両側に、繊維集合体２０が配置された集合体領域Ｒ２，Ｒ２と、を有し、基材シート１０は、親水性繊維で形成されており、繊維集合体２０は、疎水性繊維で形成されている。
したがって、シート領域Ｒ１で液状汚れを取り去ることができるとともに、集合体領域Ｒ２で固形状汚れを取り去ることができるため、水等の液状汚れとゴミ等の固形状汚れの両方を好適に取り去ることができる。
ここで、被清掃面Ｆに液状汚れがある場合、集合体領域Ｒ２は当該液状汚れで濡れてしまうが、集合体領域Ｒ２に付着した液状汚れは、疎水性の集合体領域Ｒ２から親水性の基材シート１０へと移行するため、集合体領域Ｒ２に残り難い。したがって、集合体領域Ｒ２が液状汚れで濡れてしまったとしても、当該液状汚れは集合体領域Ｒ２に残り難く、繊維集合体２０による固形状汚れの絡め取り効率が低下し難いため、水等の液状汚れとゴミ等の固形状汚れの両方を好適に取り去ることができる。
【００３８】
また、以上説明した本発明の清掃用シート１によれば、繊維集合体２０の繊維密度は、基材シート１０の繊維密度よりも低くなっている。
したがって、毛細管現象が作用して、繊維集合体２０から基材シート１０への液状汚れの吸い上げ効率が向上するため、より一層、繊維集合体２０に液状汚れが残り難く、水等の液状汚れとゴミ等の固形状汚れの両方を好適に取り去ることができる。
【００３９】
また、以上説明した本発明の清掃用シート１によれば、基材シート１０に、所定の薬液を含浸させることもできる。
この場合、清掃用シート１で濡拭きを行うことができるため、シミ汚れやこびりつき汚れ、集合体領域Ｒ２では絡め取りきれない細かい固形状汚れ等が被清掃面Ｆにあったとしても、これらの汚れを好適に取り去ることができる。
さらに、清掃用シート１を使用することで、被清掃面Ｆに薬液が付いてしまったとしても、被清掃面Ｆに付いた薬液は、集合体領域Ｒ２に付着し、集合体領域Ｒ２から基材シート１０へと吸い上げられて、再び基材シート１０に保持されるため、薬液が被清掃面Ｆに残らない。したがって、一般的な清掃手順としては、濡れた清掃用品で濡拭きを行った後に、乾いた清掃用品で乾拭きを行うことが多いが、清掃用シート１では濡拭きと乾拭きとを同時に行うことができるため、使い勝手が良い。
【００４０】
また、以上説明した本発明の清掃用シート１によれば、繊維集合体２０が基材シート１０に接合される接合部２２は、繊維２１，…の配向方向と直交する方向に延びる２本の接合線Ｌ，Ｌに沿って、破線状に断続的に配列されており、一の接合線２２に沿って配列された接合部２２と当該配列方向に隣り合う非接合部２３は、他の接合線２２に沿って配列された接合部２２と、繊維２１，…の配向方向に重なっている。
したがって、繊維集合体２０を構成する各繊維２１を確実に基材シート１０に固定することができるとともに、接合部２２を繊維集合体２０の長手方向一端から他端に亘って連続的に配置した場合に比べて、繊維集合体２０から基材シート１０への液状汚れの吸い上げ効率の低下を抑えることができる。
【００４１】
また、以上説明した本発明の清掃用シート１によれば、接合部２２は、繊維集合体２０における繊維２１，…の配向方向両端部（繊維集合体２０の前後方向両端部）のうちの、基材シート１０の短手方向中央側に位置する端部（繊維集合体２０の前後方向内側端部）に配置されている。
ここで、一方の繊維集合体２０の前後方向内側端部と、他方の繊維集合体２０の前後方向内側端部と、の間が、繊維集合体２０が配置されていないシート領域Ｒ１となるため、繊維集合体２０の前後方向内側端部の位置によって、シート領域Ｒ１の面積が決まる。したがって、例えば、清掃部１１に接合される接合部２２の位置が、繊維集合体２０における繊維２１，…の配向方向中央部（繊維集合体２０の前後方向中央部）にある場合、繊維集合体２０の前後方向内側端部を清掃部１１の内側に配置する必要があるため、シート領域Ｒ１の面積が小さくなってしまう。これに対し、清掃用シート１によれば、接合部２２の位置は、繊維集合体２０の前後方向内側端部であるため、当該端部を清掃部１１の外側に配置することができ、シート領域Ｒ１の面積を十分に確保できることとなって、特に基材シート１０に所定の薬液が含浸されている場合に好適である。
【００４２】
また、以上説明した本発明の清掃用シート１によれば、繊維集合体２０は、清掃用シート１が掃除具１００に装着された際に当該掃除具１００の端部からはみ出すように配置されている。
したがって、掃除具１００が入り込めない隙間や部屋の隅、段差の側面などに繊維集合体２０がフィットするため、効率よく清掃できる。
【００４３】
なお、本発明は、上記した実施の形態のものに限るものではなく、その要旨を逸脱しない範囲で適宜変更可能である。
【００４４】
上記した繊維２１，…の配向方向、接合部２２，…の配列方向、各数値（接合線Ｌ，Ｌや接合部２２，２２の間隔）等には、製造上の誤差等は許容されることとする。
【００４５】
接合線Ｌの本数は、１個の繊維集合体２０に対して２本に限ることはなく任意である。
また、接合線Ｌの形状は、当該接合線Ｌが繊維２１，…の配向方向と直交する方向に延びているのであれば、直線状に限ることはなく任意であり、例えば、ジグザグ状、波線状、曲線状のうちの何れかであっても良い。
【００４６】
接合部２２の形状は、長方形状に限ることはなく任意であり、例えば、正方形状、楕円形状、円形状、三角形状、その他多角形状のうちの何れかであっても良い。
また、接合部２２は、接合線Ｌに沿って破線状に断続的に配列されたものに限ることはなく、例えば、接合線Ｌに沿って連続的に配列されたものであっても良い。すなわち、清掃用シート１は非接合部２３を備えていなくても良い。
また、接合部２２の位置は、繊維集合体２０の前後方向内側端部に限ることはなく任意であり、例えば、繊維集合体２０の前後方向中央部であっても良い。
【００４７】
接合部２２を基材シート１０に接合するための接合手段は、ホットメルト、ヒートシール、超音波シールに限ることはなく任意であり、例えば、その他の接着剤、縫製、ステープラ、植毛等であっても良い。
【００４８】
繊維集合体２０の個数は、１個の集合体領域Ｒ２に対して１個に限ることはなく、複数であっても良い。
また、繊維集合体２０は、基材シート１０の片面（下面）だけでなく、両面（上面及び下面）に接合されていてもよい。
【００４９】
基材シート１０及び繊維集合体２０の何れか一方が親水性繊維で形成され、何れか他方が疎水性繊維で形成されているのであれば、例えば、基材シート１０が疎水性繊維で形成されたシートであり、かつ、繊維集合体２０が親水性繊維で形成された繊維束状の繊維２１が集合してなるものであっても良い。
【符号の説明】
【００５０】
１  清掃用シート
１０  基材シート
２０  繊維集合体
２１  繊維
２２  接合部
２３  非接合部
１００  掃除具
Ｌ  接合線
Ｒ１  シート領域
Ｒ２  集合体領域
【図１】
2010220936.tif 000003
【図２】
2010220936.tif 000004
【図３】
2010220936.tif 000005